(57)【要約】      （修正有）【課題】電磁遮蔽幕の開閉操作をより素早く実施することのできる電磁波シールドチェンバーを提供する。【解決手段】被験者移動用の寝台を備えたＭＲＩ装置の全体を包囲して室内に設置される電磁波シールドチェンバー１は、下端部を揺動自在に軸支した複数のアーチ３７，３８，３９に止着された可撓性の電磁遮蔽幕８でＭＲＩ装置の寝台の部分を覆っており、アーチ３７，３８，３９の揺動操作によって電磁遮蔽幕８を素早く開閉できる。【選択図】図１
2017056003.tif 000002
【特許請求の範囲】
【請求項１】
被験者移動用の寝台を備えたＭＲＩ装置の全体を包囲して室内に設置される電磁波シールドチェンバーであって、
前記ＭＲＩ装置全体を覆うようにして当該ＭＲＩ装置との間に間隔を置いて配置されたピラー及びビームによって構成されるフレームと、前記ピラー及びビームに沿って止着され前記フレームの輪郭により画成された内側の領域を被覆する電磁遮蔽膜とを備え、
前記フレームは、その全体構造の内の、少なくとも当該被験者用の退避側領域を覆う部分が、前記ピラーとビームの組合せから成る複数のアーチにより構成されると共に、
各アーチは、前記フレームの下端部中央領域を回動中心部として個別に起伏回動する起伏回動構造により構成され、
前記フレームの少なくとも前記起伏回動構造部分に付設された前記電磁遮蔽膜を、可撓性を備えた電磁遮蔽膜としたことを特徴とする電磁波シールドチェンバー。
【請求項２】
静磁場コイル，傾斜磁場コイル，高周波コイルを有する磁石架台、および、前記磁石架台に設けられたトンネル状の検査空間と被験者受け入れ位置との間で被験者を移動させるための寝台を備えたＭＲＩ装置を包囲して室内に設置される電磁波シールドチェンバーであって、
前記ＭＲＩ装置との間に間隔を置いて設置されたピラーおよびビームによって構成されるフレームと、前記ピラーおよびビームに沿って止着されて前記フレームの輪郭により画成された内側の領域を被覆する電磁遮蔽幕とを備え、
前記フレームは、少なくとも、前記寝台を前記検査空間から退避させて前記被験者受け入れ位置に移動させた際に前記寝台を覆う部分が、
前記寝台の移動方向に沿って並ぶ左右一対のピラーと其の上端部を接続するビームから成り其の並び方向の外側にいくに従って水平面と成す傾斜角を徐々に減少させる複数のアーチによって構成され、最も外側に位置するアーチは室内の床面と略同一平面上に敷設された導電性の床側ベースプレートと接地するようにして水平に配置されると共に、
前記各アーチを構成する左右のピラーの下端部が、同一軸線上に、若しくは、其の並び方向に沿った前記アーチの厚みを超える一定の間隔を置いて、それぞれ揺動自在に軸支され、
少なくとも、前記複数のアーチの輪郭により画成された内側の領域を被覆する電磁遮蔽幕の部分が、可撓性であることを特徴とした電磁波シールドチェンバー。
【請求項３】
静磁場コイル，傾斜磁場コイル，高周波コイルを有する磁石架台、および、前記磁石架台に設けられたトンネル状の検査空間と被験者受け入れ位置との間で被験者を移動させるためのテーブルと前記テーブル上に設置され前記テーブルを前記検査空間から退避させて前記被験者受け入れ位置に移動させた際に前記磁石架台から相対的に離間した側の端部を支点として前記テーブルから水平方向に振り出し可能とされた被験者載置パッドとによって構成される寝台を備えたＭＲＩ装置を包囲して室内に設置される電磁波シールドチェンバーであって、
前記ＭＲＩ装置との間に間隔を置いて設置されたピラーおよびビームによって構成されるフレームと、前記ピラーおよびビームに沿って止着されて前記フレームの輪郭により画成された内側の領域を被覆する電磁遮蔽幕とを備え、
前記フレームは、少なくとも、前記寝台を前記検査空間から退避させて前記被験者受け入れ位置に移動させた際に前記寝台を覆う部分が、
前記寝台の移動方向に沿って並ぶ左右一対のピラーと其の上端部を接続するビームから成り其の並び方向の外側にいくに従って水平面と成す傾斜角を徐々に減少させる複数のアーチによって構成され、最も外側に位置するアーチは室内の床面と略同一平面上に敷設された導電性の床側ベースプレートと接地するようにして水平に配置されると共に、
前記各アーチを構成する左右のピラーの下端部が、同一軸線上に、若しくは、前記並び方向に沿った前記アーチの厚みを超える一定の間隔を置いて、それぞれ揺動自在に軸支され、
少なくとも、前記複数のアーチの輪郭で画成された内側の領域を被覆する電磁遮蔽幕の部分が、可撓性であることを特徴とした電磁波シールドチェンバー。
【請求項４】
前記フレームは、前記磁石架台を覆う部分が、相互に固定的に接続されたピラーおよびビームによってケージ状に構成されていることを特徴とした請求項２または請求項３記載の電磁波シールドチェンバー。
【請求項５】
前記ケージ状に構成された部分のフレームの壁面のうち、前記複数のアーチによって構成されるフレームの部分と連絡する部分の壁面が、直立状態を超えて、其の下端側から上端側にかけて前記各アーチから徐々に離間する方向に傾斜して形成され、前記連絡する部分の壁面に最も内側に位置するアーチと接続すべく形成された開口部の大きさは、前記各アーチが突入しない大きさとされていることを特徴とした請求項４記載の電磁波シールドチェンバー。
【請求項６】
前記並び方向の最も外側に位置するアーチにおいて前記床側ベースプレートと接地する側の端面には、左右一対のピラーと其の上端部を接続するビームの全長に亘って、導電性と弾性を兼ね備えた部材で構成された電磁波遮蔽部材が前記電磁遮蔽幕と電気的に接続して一体的に固設される一方、前記電磁波遮蔽部材を固設した面と反対側の面には、前記全長方向の複数個所に、室内の床面と略同一平面上に敷設されて前記電磁波遮蔽部材に当接する導電性の床側ベースプレートの表面に併設された磁性体を吸着する電磁石が前記端面を貫通し、かつ、前記電磁波遮蔽部材の厚みよりも少ない高さで前記端面を突出して前記磁性体の配設位置に対応して設置されていることを特徴とした請求項４または請求項５記載の電磁波シールドチェンバー。
【請求項７】
ケージ状に構成された部分のフレームの開口部に位置するピラーもしくはビームと最も内側に位置するアーチを構成するピラーもしくはビームのうち少なくとも其の一方が、完全伸長状態にある前記可撓性の電磁遮蔽幕によって規定されるピラーもしくはビーム間の離間距離よりも短い距離で可撓性の索具によって相互に止着されると共に、前記複数のアーチのうち相互に隣接するアーチを構成するピラーもしくはビームのうち少なくとも其の一方が、完全伸長状態にある前記可撓性の電磁遮蔽幕によって規定されるピラーもしくはビーム間の離間距離よりも短い距離で可撓性の索具によって相互に止着されていることを特徴とした請求項４または請求項５記載の電磁波シールドチェンバー。
【発明の詳細な説明】
【技術分野】
【０００１】
本発明は、ＭＲＩ装置を包囲して室内に設置される電磁波シールドチェンバーの改良に関する。
【背景技術】
【０００２】
ＭＲＩ装置を包囲して室内に設置される電磁波シールドチェンバーとしては、ＭＲＩ装置の上方に略矩形状の放射線遮蔽材を設置すると共に、この放射線遮蔽材の外周部に其の一端を電気的に接続したチューブ状の電磁遮蔽幕を垂らすようにして取り付け、上下に一定の間隔を置いて水平方向に設けられた電磁遮蔽幕と一体のリブを上下方向に貫通して電磁遮蔽幕の荷重を支える索具を通し、電磁遮蔽幕の下端部の全周に亘って固設された導電性の床面当接部材に索具の下端部を止着する一方、この索具の上端部をモータ，回転シャフト，巻き上げリール等から成るウインチ手段を利用して巻き上げたり巻き戻したりすることによって電磁遮蔽幕を上下に開閉して被験者の出入りを許容するようにした電磁波シールド装置が特許文献１として既に提案されている。
【０００３】
特許文献１に開示された電磁波シールド装置を利用すればＭＲＩ装置を配置した室内の壁や天井に放射線遮蔽材を埋設する必要がなくなって電磁シールドの設置に要する施工コストが低減化され、また、概ねＭＲＩ装置の外形に合わせて電磁シールドを形成することができるようになる。
【０００４】
特許文献１に開示された電磁波シールド装置におけるチューブ状の電磁遮蔽幕は、モータ，回転シャフト，巻き上げリール等から成るウインチ手段に代えて公知の窓用ブラインド等の巻き上げ巻き戻し機構を転用して手動で開閉することも可能であるが、この電磁遮蔽幕にはリブ，索具，チューブ状の電磁遮蔽幕の下端部全周に亘って固設された導電性の床面当接部材といった重量物が取り付けられているため、ＭＲＩ装置が比較的に大型である場合、すなわち、要求される電磁波シールドチェンバーの内容積が大きな場合には、手動操作が困難となって、モータ，回転シャフト，巻き上げリール等から成るウインチ手段を利用せざるを得ず、装置の全体構造が複雑化したり装置の設置コストが嵩んだりする恐れがある。
また、モータ，回転シャフト，巻き上げリール等から成るウインチ手段を利用した場合であっても、索具やチューブ状の電磁遮蔽幕に絡みや縺れを生じることなく円滑に上下の開閉動作を行わせる必要上、索具の巻き上げ速度や巻き戻し速度を制限せざるを得ず、作業の段取りが悪いと、ＭＲＩ測定の際の被験者の待ち時間が冗長するといった問題を招く恐れがある。
【０００５】
被験者に対する外科的な施術と其の結果をリアルタイムに近い状態で確認するため、外科的な施術とＭＲＩ測定とを数回に亘って交互に繰り返し実行するといった場合もあるが、特に、そのような状況下にあっては、患者でもあり体力の衰えている被験者を次のＭＲＩ測定や次の施術のために待たせるといったことは望ましくなく、電磁遮蔽幕を短時間で開閉する技術が求められる。
ここで、外科的な施術とＭＲＩ測定とを数回に亘って繰り返し実行する際に被験者に与える悪影響を軽減する一つの手段としては、外科的な施術を実施する場所とＭＲＩ測定を実施する場所とを接近させて被験者の移動距離や移動時間を短縮する方法、例えば、室内の壁や天井の全体に亘って放射線遮蔽材を埋設して同じ部屋で施術とＭＲＩ測定を実施するといった方法、更には、室内に設置する電磁波シールドチェンバーを大型化し、外科的な施術を実施する場所とＭＲＩ測定を実施する場所を共に電磁波シールドチェンバーの領域内に取り込んでしまうといった方法が考えられるが、既に述べた通り、前者を採用した場合には電磁波のシールドに必要とされる施工コストが著しく増大する不都合があり、また、後者の方法を採用したとしても、施工コストの増大は必ずしも解消されず、特に、電磁波シールドチェンバーの大型化に伴って電磁遮蔽幕のリブ，索具，チューブ状の電磁遮蔽幕の下端部全周に亘って固設される導電性の床面当接部材の重量が大幅に増大することから、電磁遮蔽幕を短時間で開閉することが難しくなるといった不都合が生じる。
【０００６】
光や空気を透過して可撓性のある電磁遮蔽幕の素材としては、例えば、特許文献２や特許文献３に開示されるような電磁波シールド用メッシュが既に公知である。
また、産業上の利用分野は異なるが、アーチを組み合わせたフレームと遮蔽幕を利用して必要とされる閉鎖空間を画成する技術あるいはアーチを揺動させて遮蔽幕を開閉する技術としては、例えば、特許文献４に開示されるテント車庫，特許文献５に開示される扇型車庫，特許文献６に開示される車庫装置，特許文献７に開示されるテント式車庫といったようなものが既に公知である。
【先行技術文献】
【特許文献】
【０００７】
【特許文献１】特開２００７−２０８２１４号公報（段落０１２３〜０１２９，図１４，図１５）
【特許文献２】特開平８−３３５７９６号公報（段落００２４，図３）
【特許文献３】特開平７−１７６８８５号公報（段落００３２〜００３４，図３）
【特許文献４】特開平１０−１５９３９４号公報（図３）
【特許文献５】特開２００９−２１５８６５号公報（図２）
【特許文献６】特開平１０−１４８０３９号公報（図９）
【特許文献７】特開２００９−４１２３４号公報（図２）
【発明の概要】
【発明が解決しようとする課題】
【０００８】
本発明の目的は、電磁波シールドチェンバー自体の複雑化や設置コストの増大を招くことなく測定の際の被験者の待ち時間を短縮できる室内設置型の電磁波シールドチェンバーを提供すること、より具体的には、被験者の出入りを許容するための電磁遮蔽幕の開閉操作をより素早く実施することのできる電磁波シールドチェンバーを提供することにある。
【課題を解決するための手段】
【０００９】
本発明の電磁波シールドチェンバーは、被験者移動用の寝台を備えたＭＲＩ装置の全体を包囲して室内に設置される電磁波シールドチェンバーであって、前記目的を達成するため、特に、
前記ＭＲＩ装置全体を覆うようにして当該ＭＲＩ装置との間に間隔を置いて配置されたピラー及びビームによって構成されるフレームと、前記ピラー及びビームに沿って止着され前記フレームの輪郭により画成された内側の領域を被覆する電磁遮蔽膜とを備え、
前記フレームは、その全体構造の内の、少なくとも当該被験者用の退避側領域を覆う部分が、前記ピラーとビームの組合せから成る複数のアーチにより構成されると共に、
各アーチは、前記フレームの下端部中央領域を回動中心部として個別に起伏回動する起伏回動構造により構成され、
前記フレームの少なくとも前記起伏回動構造部分に付設された前記電磁遮蔽膜を、可撓性を備えた電磁遮蔽膜としたことを特徴とする構成を有する。
より望ましくは、本発明の電磁波シールドチェンバーは、静磁場コイル，傾斜磁場コイル，高周波コイルを有する磁石架台、および、前記磁石架台に設けられたトンネル状の検査空間と被験者受け入れ位置との間で被験者を移動させるための寝台を備えたＭＲＩ装置を包囲して室内に設置される電磁波シールドチェンバーであり、前記目的を達成するため、特に、
前記ＭＲＩ装置との間に間隔を置いて設置されたピラーおよびビームによって構成されるフレームと、前記ピラーおよびビームに沿って止着されて前記フレームの輪郭により画成された内側の領域を被覆する電磁遮蔽幕とを備え、
前記フレームは、少なくとも、前記寝台を前記検査空間から退避させて前記被験者受け入れ位置に移動させた際に前記寝台を覆う部分が、
前記寝台の移動方向に沿って並ぶ左右一対のピラーと其の上端部を接続するビームから成り其の並び方向の外側にいくに従って水平面と成す傾斜角を徐々に減少させる複数のアーチによって構成され、最も外側に位置するアーチは室内の床面と略同一平面上に敷設された導電性の床側ベースプレートと接地するようにして水平に配置されると共に、
前記各アーチを構成する左右のピラーの下端部が、同一軸線上に、若しくは、其の並び方向に沿った前記アーチの厚みを超える一定の間隔を置いて、それぞれ揺動自在に軸支され、
少なくとも、前記複数のアーチの輪郭により画成された内側の領域を被覆する電磁遮蔽幕の部分が、可撓性であることを特徴とした構成を有する。
【００１０】
本発明にあっては、電磁波シールドチェンバーのフレームが、ＭＲＩ装置との間に間隔を置いて設置されたピラーおよびビームによって構成され、このうち、ＭＲＩ装置の磁石架台に設けられたトンネル状の検査空間からＭＲＩ装置の寝台を退避させて被験者受け入れ位置に移動させた際にＭＲＩ装置の寝台を覆う部分は、ＭＲＩ装置の寝台の移動方向に沿って並ぶ左右一対のピラーと其の上端部を接続するビームから成り其の並び方向の外側にいくに従って水平面と成す傾斜角を徐々に減少させる複数のアーチ（起伏回動構造）によって構成され、最も外側に位置するアーチは室内の床面と略同一平面上に敷設された導電性の床側ベースプレートと接地するようにして水平に配置されている。
更に、各アーチを構成する左右のピラーの下端部は、同一軸線上に、若しくは、其の並び方向に沿ったアーチの厚みを超える一定の間隔を置いて、それぞれ揺動自在に軸支されており、また、複数のアーチの輪郭により画成される内側の領域を被覆すべく此れらのアーチに沿って止着された電磁遮蔽幕の部分は可撓性であるから、最も外側に位置するアーチ、つまり、室内の床面と略同一平面上に敷設された導電性の床側ベースプレートと接地して水平に配置されているアーチを、看護士等のオペレータが把持して上方に持ち上げるようにして水平面と成す角が増大する方向に揺動させていくと、最も外側に位置するアーチに沿って止着された可撓性の電磁遮蔽幕の部分も、最も外側に位置するアーチと共に徐々に捲り上げられていく。
そして、最も外側に位置するアーチが或る程度揺動すると、此れに隣接する外側から２番目のアーチが最も外側に位置するアーチに当接し、外側から２番目に位置するアーチが、此のアーチに沿って止着された電磁遮蔽幕の部分を伴って、最も外側に位置するアーチと共に水平面と成す角を増大させる方向に揺動を開始する。
このようにして、隣接するアーチが次々に連鎖的に揺動され、最終的に、最も内側に位置するアーチが揺動を完了した時点で、被験者受け入れ位置にあるＭＲＩ装置の寝台を覆う部分の可撓性の電磁遮蔽幕が全て捲り上げられて、ＭＲＩ装置の寝台に被験者を載置することが可能な状態となる。
この際、可撓性の電磁遮蔽幕の捲り上げに際して最初の時点で必要とされる力は、最も外側に位置するアーチと此のアーチに沿って止着された可撓性の電磁遮蔽幕の部分を上方に持ち上げる力であるが、アーチの一部を構成する左右のピラーの下端部が揺動自在に軸支された状態にあるので、アーチは其の下端部とオペレータが把持した部分の２箇所で重力に抗して支えられることになり、アーチを持ち上げるようにして把持するオペレータに必要とされる操作力は、１つのアーチと此のアーチに沿って止着された可撓性の電磁遮蔽幕の部分を垂直に持ち上げる場合の操作力に比べて実質的に半減される。
更にアーチの揺動操作が進んで水平面と成す角が増大した段階では、オペレータは、複数のアーチと其れらに沿って止着された可撓性の電磁遮蔽幕の部分を纏めて揺動させる必要があるが、この段階では、複数のアーチが水平面と大きな角度を成して立ち上がった状態となっており、荷重の大半がアーチの一部を構成する左右のピラーの下端部の軸支部分で支えられることになるので、オペレータは、アーチの揺動方向に沿って僅かな力を作用させるだけで容易に複数のアーチと其れらに沿って止着された可撓性の電磁遮蔽幕の部分を揺動させて可撓性の電磁遮蔽幕を開放することができる。
一方、可撓性の電磁遮蔽幕を閉鎖する場合の操作は上記とは逆となり、その初期段階では、オペレータは、複数のアーチと其れらに沿って止着された可撓性の電磁遮蔽幕の部分を纏めて把持して水平面と成す角が減少する方向に揺動させつつも、不注意によるアーチの倒れを防止するため、重力に抗して複数のアーチを支える必要がある。しかし、この段階では、複数のアーチが水平面と大きな角度を成して立ち上がった状態となっており、荷重の大半がアーチの一部を構成する左右のピラーの下端部の軸支部分で支えられることになるので、オペレータは、僅かな力で重力に抗して複数のアーチを支えながら此れらのアーチを容易に揺動させることができる。
そして、複数のアーチが或る程度揺動していくと、まず、最も内側に位置するアーチが、ＭＲＩ装置の磁石架台を覆う部分のフレームに止着された可撓性の電磁遮蔽幕の折り畳み部分を引き伸ばし、此の引き伸ばされた可撓性の電磁遮蔽幕の部分によって、最も内側に位置するアーチの揺動動作が拘束される。
次いで、オペレータは、最も内側に位置するアーチを除いた残りのアーチを把持し、重力に抗してアーチを支えながら、複数のアーチと其れらに沿って止着された可撓性の電磁遮蔽幕の部分を、水平面と成す角が減少する方向に揺動させていくことになる。
このようにして、隣接するアーチの揺動は、内側に位置するアーチから順に連鎖的に拘束されていき、最終的に、最も外側に位置するアーチが揺動を完了して水平となった時点で、可撓性の電磁遮蔽幕の閉鎖が完了することになる。
この際、アーチと水平面とが成す角が減少するにつれて１つのアーチを支えるのに必要とされる力は増大するが、その一方で、オペレータが支えなければならないアーチの個数は順に減少していくので、オペレータは、僅かな操作力によってアーチを支えつつ容易に閉鎖方向にアーチを揺動させることができる。
以上に述べたように、オペレータは、単純な手動操作によって苦もなく可撓性の電磁遮蔽幕を開閉することができるようになるので、電磁波シールドチェンバーの複雑化や設置コストの増大を招くことなく、被験者の出入りを許容するための可撓性の電磁遮蔽幕の開閉操作を行うことができ、ＭＲＩ装置を用いた測定の際の被験者の待ち時間を容易に短縮することができるようになる。
【００１１】
この電磁波シールドチェンバーは、特に、ＭＲＩ装置の磁石架台に設けられたトンネル状の検査空間と被験者受け入れ位置との間で被験者を移動させるためのテーブルと、此のテーブル上に設置され、テーブルを検査空間から退避させて被験者受け入れ位置に移動させた際に磁石架台から相対的に離間した側の端部を支点としてテーブルから水平方向に振り出し可能とされた被験者載置パッドとによって構成される寝台を備えたＭＲＩ装置と共に用いることが望ましい。
【００１２】
このようなＭＲＩ装置を利用した場合にあっては、電磁波シールドチェンバーの可撓性の電磁遮蔽幕を開放して被験者受け入れ位置に移動させた寝台から被験者載置パッドを水平方向に振り出した位置を外科的な施術を実施する場所として利用し、此の位置に施術に必要とされるテーブルや器具等を配置することができる。
従って、可撓性の電磁遮蔽幕を開放して被験者受け入れ位置に移動させた寝台から水平方向に振り出した被験者載置パッドに被験者を載置した状態で被験者に外科的な施術を施した後、直ちにテーブル上の定位置に被験者載置パッドを振り戻し、寝台を覆う部分のアーチを閉鎖方向に揺動させてＭＲＩ装置全体を電磁遮蔽幕で覆って寝台を移動させ、ＭＲＩ装置による測定を実施し、再び寝台を被験者受け入れ位置に移動させてアーチを開放方向に揺動させることで可撓性の電磁遮蔽幕を開放し、改めて被験者載置パッドを水平方向に振り出して被験者に再度の外科的な施術を実施するといった作業を繰り返し実施することができるようになる。
よって、患者でもある被験者に次のＭＲＩ測定や次の施術を待たせるといった不都合を生じることなく円滑に外科的な施術とＭＲＩ測定を繰り返すことが可能となる。
【００１３】
ＭＲＩ装置との間に間隔を置いて設置されたピラーおよびビームによって構成されるフレームのうち、ＭＲＩ装置の磁石架台を覆う部分は、相互に固定的に接続されたピラーおよびビームによってケージ状に構成してもよい。
【００１４】
ＭＲＩ装置の磁石架台を覆う部分に揺動式のアーチを設ける必要がなく全体の構造が簡略化されるため、電磁波のシールドに必要とされる電磁波シールドチェンバーの施工コストが軽減される。
【００１５】
ＭＲＩ装置の磁石架台を覆う部分のフレームをケージ状に構成した場合にあっては、更に、ケージ状に構成された部分のフレームの壁面のうち、複数のアーチによって構成されるフレームの部分と連絡する部分のケージ状のフレームの壁面が、直立状態を超えて、其の下端側から上端側にかけて各アーチから徐々に離間する方向に傾斜した構成とし、また、此の連絡部分の壁面に最も内側に位置するアーチと接続すべく形成された開口部の大きさは各アーチが突入しない大きさとされていることが望ましい。
【００１６】
このような構成を適用した場合にあっては、可撓性の電磁遮蔽幕を完全に開放した状態、つまり、複数のアーチを揺動限界にまで揺動させた状態で、此れらのアーチが、水平面と成す角が９０°を超えているケージ状のフレームの壁面によって支えられることになるので、オペレータがアーチから手を離してもアーチが不用意に揺動して閉鎖状態の原位置に復帰することがなく、可撓性の電磁遮蔽幕を完全に開放した状態を確実に保持できるようになる。
従って、可撓性の電磁遮蔽幕を完全に開放する位置にアーチを保持するための機械的な固定手段は不要であり、専用の固定手段を設ける場合と比較して電磁波シールドチェンバーの構造が簡略化される。
【００１７】
また、ＭＲＩ装置の磁石架台を覆う部分のフレームをケージ状に構成した場合にあっては、前記複数のアーチのうち、其の並び方向の最も外側に位置するアーチにおいて前記床側ベースプレートと接地する側の端面に、左右一対のピラーと其の上端部を接続するビームの全長に亘って、導電性と弾性を兼ね備えた部材で構成された電磁波遮蔽部材が前記電磁遮蔽幕と電気的に接続して一体的に固設する一方、前記電磁波遮蔽部材を固設した面と反対側の面には、前記全長方向の複数個所に、室内の床面と略同一平面上に敷設されて前記電磁波遮蔽部材に当接する導電性の床側ベースプレートの表面に併設された磁性体を吸着する電磁石が前記端面を貫通し、かつ、前記電磁波遮蔽部材の厚みよりも少ない高さで前記端面を突出して前記磁性体の配設位置に対応して設置される構成とすることが望まししい。
【００１８】
このような構成を適用した場合にあっては、最も外側に位置するアーチの揺動を完了して水平とした時点で電磁石を励磁して床側ベースプレートの表面に併設された磁性体を電磁石によって吸着させることにより、最も外側に位置するアーチと床側ベースプレートとの間で導電性と弾性を兼ね備えた電磁波遮蔽部材を弾性変形させ、並び方向の最も外側に位置するアーチの全周を隙間なく床側ベースプレートに密着させて電磁波を遮蔽することができる。
【００１９】
更に、ケージ状に構成された部分のフレームの開口部に位置するピラーもしくはビームと最も内側に位置するアーチを構成するピラーもしくはビームのうち少なくとも其の一方が完全伸長状態にある可撓性の電磁遮蔽幕によって規定されるピラーもしくはビーム間の離間距離よりも短い距離で可撓性の索具によって相互に止着すると共に、前記複数のアーチのうち相互に隣接するアーチを構成するピラーもしくはビームのうち少なくとも其の一方が完全伸長状態にある可撓性の電磁遮蔽幕によって規定されるピラーもしくはビーム間の離間距離よりも短い距離で可撓性の索具によって相互に止着された構成とすることが望ましい。
【００２０】
このような構成を適用すれば、隣接するアーチの荷重が索具によって支えられ、隣接するアーチの荷重によって可撓性の電磁遮蔽幕が過剰に引っ張られる不都合が解消されるので、可撓性の電磁遮蔽幕の実質的な耐久性が向上する。
【発明の効果】
【００２１】
本発明の電磁波シールドチェンバーは、ＭＲＩ装置の寝台を覆う部分のフレームを構成する各アーチの一部を構成する左右のピラーの下端部が揺動自在に軸支され、可撓性の電磁遮蔽幕を開閉するためのアーチの揺動操作に際しては、各アーチが其の下端部とオペレータが把持した部分の２箇所とによって重力に抗して支えられることになるので、アーチを把持して可撓性の電磁遮蔽幕を解放する方向にアーチを揺動させるオペレータに必要とされる操作力、および、アーチの倒れを防止しつつ可撓性の電磁遮蔽幕を閉鎖する方向にアーチを揺動させるオペレータに必要とされる操作力が、アーチおよび其のアーチに沿って止着された可撓性の電磁遮蔽幕の部分を垂直に上下させる場合の操作力に比べて大幅に軽減される。
また、室内の壁や天井に放射線遮蔽材を埋設する必要がなく、可撓性の電磁遮蔽幕を開閉するための格別な操作手段（モータ，回転シャフト，巻き上げリール等）も不要であって、外科的な施術を実施する場所とＭＲＩ測定を実施する場所を取り込むために電磁波シールドチェンバー自体を大型化する必要もない。
従って、オペレータは、単純な手動操作によって苦もなく可撓性の電磁遮蔽幕を開閉することができ、電磁波シールドチェンバーの複雑化や設置コストの増大を招くことなく、被験者の出入りを許容するための可撓性の電磁遮蔽幕の開閉操作を容易に行うことができ、ＭＲＩ装置を用いた測定の際の被験者の待ち時間を短縮することができる。
【００２２】
特に、被験者を移動させるためのテーブルと此のテーブルから水平方向に振り出し可能とされた被験者載置パッドからなる寝台を備えたＭＲＩ装置と組み合わせて本発明の電磁波シールドチェンバーを利用した場合にあっては、電磁波シールドチェンバーにおける可撓性の電磁遮蔽幕を開放して被験者受け入れ位置に移動させた寝台から被験者載置パッドを水平方向に振り出した位置を外科的な施術を実施する場所として利用し、此の位置に施術に必要とされるテーブルや器具等を配置することができる。
従って、可撓性の電磁遮蔽幕を開放して被験者受け入れ位置に移動させた寝台から水平方向に振り出した被験者載置パッドに被験者を載置した状態で被験者に外科的な施術を施した後、直ちにテーブル上の定位置に被験者載置パッドを振り戻し、寝台を覆う部分のアーチを閉鎖方向に揺動させてＭＲＩ装置全体を電磁遮蔽幕で覆って寝台を移動させ、ＭＲＩ装置による測定を実施し、再び寝台を被験者受け入れ位置に移動させてアーチを開放方向に揺動させることで可撓性の電磁遮蔽幕を開放し、改めて被験者載置パッドを水平方向に振り出して被験者に再度の外科的な施術を実施するといった作業を繰り返し実施することができるようになる。
よって、患者でもある被験者に次のＭＲＩ測定や次の施術を待たせるといった不都合を生じることなく円滑に外科的な施術とＭＲＩ測定を繰り返すことが可能となる。
【００２３】
また、ＭＲＩ装置との間に間隔を置いて設置されたピラーおよびビームによって構成されるフレームのうちＭＲＩ装置の磁石架台を覆う部分を相互に固定的に接続されたピラーおよびビームからなるケージ状の構成とすれば、磁石架台を覆う部分に揺動式のアーチを設ける必要がなくなり全体の構造が簡略化されるため、電磁波のシールドに必要とされる電磁波シールドチェンバーの施工コストを軽減することができる。
【００２４】
更に、ケージ状に構成された部分のフレームの壁面のうち、複数のアーチによって構成されるフレームの部分と連絡する部分のケージ状のフレームの壁面が、直立状態を超えて、其の下端側から上端側にかけて各アーチから徐々に離間する方向に傾斜した構成とし、かつ、此の連絡部分の壁面に最も内側に位置するアーチと接続すべく形成された開口部の大きさを各アーチが突入しない大きさとした構成を採用した場合にあっては、可撓性の電磁遮蔽幕を完全に開放した状態にある複数のアーチをケージ状のフレームの壁面が支えることになるので、オペレータがアーチから手を離してもアーチが不用意に揺動して閉鎖状態の原位置に復帰することがなく、可撓性の電磁遮蔽幕を完全に開放した状態を確実に保持することができる。
これにより、可撓性の電磁遮蔽幕を完全に開放する位置にアーチを保持するための機械的な固定手段は不要となり、電磁波シールドチェンバーの構造が簡略化される。
【００２５】
また、ＭＲＩ装置の磁石架台を覆う部分のフレームをケージ状に構成した場合にあっては、複数のアーチのうち、其の並び方向の最も外側に位置するアーチの端面の全長に亘って導電性と弾性を兼ね備えた部材で構成された電磁波遮蔽部材を一体的に固設し、最も外側に位置するアーチの揺動を完了して水平とした時点で電磁石を励磁して床側ベースプレートの表面に併設された磁性体を電磁石に吸着させ、最も外側に位置するアーチと床側ベースプレートとの間で導電性と弾性を兼ね備えた電磁波遮蔽部材を弾性変形させることにより、並び方向の最も外側に位置するアーチ、つまり、隙間の生じ易い開閉部となるアーチの全周を隙間なく床側ベースプレートに密着させて電磁波を遮蔽することができる。
【００２６】
更に、ケージ状に構成された部分のフレームの開口部に位置するピラーもしくはビームと最も内側に位置するアーチを構成するピラーもしくはビームのうち少なくとも其の一方が完全伸長状態にある可撓性の電磁遮蔽幕によって規定されるピラーもしくはビーム間の離間距離よりも短い距離で可撓性の索具によって相互に止着されると共に、複数のアーチのうち相互に隣接するアーチを構成するピラーもしくはビームのうち少なくとも其の一方が完全伸長状態にある可撓性の電磁遮蔽幕によって規定されるピラーもしくはビーム間の離間距離よりも短い距離で可撓性の索具によって相互に止着された構成を適用した場合にあっては、隣接するアーチの荷重が索具によって支えられ、アーチの荷重によって可撓性の電磁遮蔽幕が過剰に引っ張られる不都合が解消されるので、可撓性の電磁遮蔽幕の実質的な耐久性を向上させることができる。
【図面の簡単な説明】
【００２７】
【図１】本発明を適用した一実施形態の電磁波シールドチェンバーの構成の概略について示した斜視図である。
【図２】同実施形態の電磁波シールドチェンバーの設置対象となるＭＲＩ装置の一例について電磁波シールドチェンバーの下部平断面と共に示した平面図である。
【図３】同実施形態の電磁波シールドチェンバーの構成の概略について示した側面図である。
【図４】同実施形態の電磁波シールドチェンバーのアーチの構成について示した立面図であり、図４（ａ）では最も内側に位置するアーチの構成について、また、図４（ｂ）では此れに隣接するアーチの構成について示している。
【図５】同実施形態の電磁波シールドチェンバーの構成の概略について示した正面図である。
【図６】同実施形態の電磁波シールドチェンバーの構成の概略について示した背面図である。
【図７】同実施形態の電磁波シールドチェンバーにおける床側ベースプレートの構成について示した平面図である。
【図８】同実施形態の電磁波シールドチェンバーの構成の一部を取り出して詳細に示した図であり、このうち、図８（ａ）は電磁波シールドチェンバーの本体部のコーナー部分に配置された２本のピラーの接続状態を示した平面図、図８（ｂ）は同実施形態の電磁波シールドチェンバーにおける床側ベースプレートの設置状態を示した断面図、図８（ｃ）は同実施形態の電磁波シールドチェンバーにおいて隣接する２つのアーチの枢着状態を示した側面図である。
【発明を実施するための形態】
【００２８】
次に、本発明を適用した電磁波シールドチェンバーの実施形態について具体例を挙げて詳細に説明する。
【００２９】
図１は本発明を適用した一実施形態の電磁波シールドチェンバー１の構成の概略について示した斜視図、また、図２は電磁波シールドチェンバー１を設置する対象として選択されたＭＲＩ装置の一例について電磁波シールドチェンバー１の下部平断面と共に示した平面図であって、図３は電磁波シールドチェンバー１の構成の概略を示した側面図である。
【００３０】
図２に示したＭＲＩ装置２は、図示しない静磁場コイル，傾斜磁場コイル，高周波コイルを内蔵した磁石架台３と寝台６を備える。
寝台６はＭＲＩ測定の対象となる被験者を載置するためのものであって、磁石架台３に設けられた図示しないトンネル状の検査空間と図２に示す通りの被験者受け入れ位置との間で被験者を移動させるためのテーブル４と、テーブル４上に設置され、テーブル４を磁石架台３の検査空間から退避させて図２に示す被験者受け入れ位置に移動させた際に磁石架台３から相対的に離間した側の端部４ａを支点としてテーブル４から水平方向に振り出し可能とされた被験者載置パッド５を備える。この種のＭＲＩ装置の構成や機能に関しては既に公知である。
【００３１】
電磁波シールドチェンバー１の主要部は、図１に示されるように、ＭＲＩ装置２を包囲するようにして室内に設置されるフレーム７と、フレーム７の輪郭により画成された内側の領域を被覆する電磁遮蔽幕８から成り、フレーム７は、ＭＲＩ装置２における磁石架台３の部分を包囲するようにして設置された本体部９と、ＭＲＩ装置２の寝台６を磁石架台３の検査空間から退避させて被験者受け入れ位置に移動させた際に寝台６の部分を包囲するようにして設置された可動部１０から構成される。
【００３２】
このうち、フレーム７の一部を構成する本体部９は、フレーム７の下端部を形成する梁として機能するビーム１１〜１４と、ビーム１１〜１４の上に立設されて支柱として機能するピラー１５〜２２，３２，３３と、ピラー１５〜２２，３２，３３の上端部に架設されて梁として機能するビーム２３〜２６と、ビーム２３〜２６の上に重合して設置されてフレーム７の上端部を形成するビーム２７〜３１を相互に接続して成るケージ状の枠体である。
本体部９のコーナー部分に配置されたピラー１６とピラー１７、および、ピラー２０とピラー２１は、例えば、図８（ａ）に示されるように、略Ｌ字型の断面を有する長尺のアングル材３４とボルト＆ナット３５，３６を用いて隙間なく接続され、また、フレーム７の下端部を形成する梁として機能するビーム１１，１４の一端は、ピラー１５，２２の立設位置を越えて僅かに外側に向けて、つまり、図１および図２における右手方向に向けて突出している。
ビーム１１〜１４，２３〜２６，２７〜３１とピラー１５〜２２，３２，３３は何れもステンレス鋼やアルミニウム合金などを始めとする導電性の金属材料から成る。
【００３３】
また、フレーム７の他部を構成する可動部１０は、図１および図３に示されるように、ＭＲＩ装置２が備える寝台６の移動方向に沿って並ぶ複数のアーチ３７〜３９によって構成される。
このうち、その並び方向において最も内側に位置するアーチ３７は、図４（ａ）に示されるように、左右一対のピラー４０，４１と其の上端部を接続するビーム４２によって一体に構成され、此れに隣接するアーチ３８は、図４（ｂ）に示されるように、左右一対のピラー４３，４４と其の上端部を接続するビーム４５によって一体に構成されている。
また、アーチ３８に隣接して最も外側に位置するアーチ３９は、図１に示されるように、左右一対のピラー４６，４７と其の上端部を接続するビーム４８によって一体に構成されている。
これらのアーチ３７，３８，３９は、図１および図３に示されるように、寝台６の移動方向に沿ったアーチ３７，３８，３９の並び方向の外側にいくに従って水平面と成す傾斜角を徐々に減少させるようにして設置され、最も外側に位置するアーチ３９は電磁遮蔽幕８を閉鎖した状態で室内の床面と平行な状態を呈する。
アーチ３７，３８，３９は何れもステンレス鋼やアルミニウム合金などを始めとする導電性の金属材料から成る。
これらのアーチ３７，３８，３９を合わせたものが本実施形態における起伏回動構造である。
【００３４】
そして、図１，図３，図５に示されるように、アーチ３７の一部を構成する左右のピラー４０，４１の下端部は、ケージ状に構成された本体部９とアーチ３７〜３９によって構成された可動部１０との接続部となる本体部９側の壁面に可動部１０を接続すべく設けられた開口部を画成する左右のピラー１５，２２の略中央部に設けられた枢着点１５ｐ，２２ｐを支点として揺動自在に軸支されている。
また、アーチ３８の一部を構成する左右のピラー４３，４４の下端部は、図１，図３，図８（ｃ）に示されるように、ピラー１５，２２の立設位置を越えて僅かに外側に突出したビーム１１，１４の突出部分の基部に設けられた枢着点１１ｐ，１４ｐを支点として揺動自在に軸支され、アーチ３９の一部を構成する左右のピラー４６，４７の下端部は、図１，図３，図８（ｃ）に示されるように、ピラー１５，２２の立設位置を越えて僅かに外側に突出したビーム１１，１４の突出部分の先端に設けられた枢着点１１ｐ’，１４ｐ’を支点として揺動自在に軸支されている。
【００３５】
この実施形態では枢着点１５ｐ，２２ｐと枢着点１１ｐ，１４ｐの間、および、枢着点１１ｐ，１４ｐと枢着点１１ｐ’，１４ｐ’の間に、アーチ３７，３８，３９の並び方向に沿った一定の間隔、より具体的には、並び方向に沿ったアーチ３７，３８，３９の厚みを超える一定の間隔を置くようにしているが、アーチ３７，３８，３９を入れ子状に配置して設置するような構成を採用する場合にあっては、枢着点１５ｐ，２２ｐと枢着点１１ｐ，１４ｐと枢着点１１ｐ’，１４ｐ’を同一軸線上に設置してもよい。
例えば、アーチ３７，３８の輪郭形状をアーチ３９の輪郭形状と略同一とし、それらの横幅と高さをアーチ３７，３８，３９の順に短くしてアーチ３７にアーチ３８，３９を入れ子状に配置する構成であれば、図１および図３に示される枢着点１１ｐ，１４ｐを結ぶ同一軸線上もしくは枢着点１１ｐ’，１４ｐ’を結ぶ同一軸線上の枢着点を、アーチ３７，３８，３９に共通する枢着点として利用することができる。
【００３６】
アーチ３７〜３９のうち、その並び方向において最も外側に位置するアーチ３９は、略Ｌ字型の断面を有する長尺のアングル材を屈折させるか、もしくは、複数に分割して切り出された直線状のアングル材を組み合わせて溶接等で固着して構成したものであって、アーチ３９を形成する２つの平面部、つまり、図１および図３に示されるようにしてアーチ３９の傾きを室内の床面と平行とした際に床面に対して平行となる第１の平面部３９ａと、アーチ３９の傾きを室内の床面と平行とした際に床面に対して直立状態となる第２の平面部３９ｂとを有する。
このうち、床面に対して平行となる第１の平面部３９ａの裏面側、要するに、床面と接地するアーチ３９の端面３９ｃの側には、図２に示されるように、左右一対のピラー４６，４７と其の上端部を接続するビーム４８の全長（全周）に亘って、その幅方向の両側に、アーチ３７を介して可撓性の電磁遮蔽幕８と電気的に接続する導電性と弾性を兼ね備えた部材から成る長尺の電磁波遮蔽部材４９，５０が一体的に固着されている。
これらの電磁波遮蔽部材４９，５０は、例えば、弾性を有する長尺の多孔質のウレタン材の外周にメッシュ状の導電性金属を巻き付けて構成することができる。
【００３７】
また、アーチ３９における第１の平面部３９ａの表面側、つまり、電磁波遮蔽部材４９，５０を固設した面と反対側の面には、図２に示されるように、左右一対のピラー４６，４７とビーム４８から成るアーチ３９の全長方向（周方向）の複数個所に亘り一定の間隔を置いて電磁石５１〜５６が配置されている。
電磁石５１〜５６の図示しない磁性鉄心の一部は第１の平面部３９ａの表裏を貫通して端面３９ｃから突出しており、磁性鉄心の突出部分は、端面３９ｃの幅方向の両側に固設された電磁波遮蔽部材４９，５０によって一定の間隔を置いて挟まれている。磁性鉄心の突出高さは、電磁波遮蔽部材４９，５０の厚みに比べて僅かに低い。
そして、アーチ３９を構成する一方のピラー４６における表面側の上端部には、図２に示されるように、アーチ３９を手動で揺動させる際に利用されるコの字型の把手６０が一体的に取り付けられている。
【００３８】
フレーム７の一部を構成するケージ状の本体部９の壁面のうち、アーチ３７〜３９によって構成される可動部１０に連絡する本体部９側の壁面、要するに、本体部９の左右のピラー１５，２２と其の上端部を接続するビーム３０によって画成される壁面は、図１および図３に示されるように、直立状態を超えて、其の下端側から上端側にかけてアーチ３７，３８，３９から徐々に離間する方向に傾斜しており、可動部１０を構成するアーチ３７〜３９のうち最も内側に位置するアーチ３７と接続すべく此の壁面に形成された開口部、つまり、この実施形態にあっては左右のピラー１５，２２と其の上端部を接続するビーム３０によって画成される開口部の大きさは、アーチ３７，３８，３９が突入しない大きさとされている。
この実施形態においては、図５に示される通り、アーチ３７，３８の横幅が左右のピラー１５，２２の間隔よりも狭いが、アーチ３７，３８，３９を折り畳んだ状況下では、アーチ３７のビーム４２，アーチ３８のビーム４５，アーチ３９のビーム４８が左右のピラー１５，２２の上端部を接続したビーム３０に干渉するので、アーチ３７，３８，３９が本体部９の左右のピラー１５，２２と其の上端部を接続するビーム３０によって画成される開口部に突入することはない。
【００３９】
なお、この実施形態にあっては、可動部１０に連絡する本体部９側の壁面と此の壁面に形成された開口部の大きさは実質的に同じ大きさであるが、本体部９の幅（ピラー１５とピラー２２の離間距離）や高さ（ビーム３０の高さ）よりも可動部１０の幅（アーチ３７，３８，３９の幅）や高さ（ビーム４２，４５，４８の高さ）の方が小さくてもよい場合もあるので、本体部９側の壁面と此の壁面に形成される開口部の大きさとは必ずしも一致しない。
【００４０】
また、図３に示されるように、ケージ状に構成された本体部９側の開口部に位置するピラー１５，２２と最も内側に位置するアーチ３７の一部を構成するピラー４０，４１との間は、伸長状態にある可撓性の電磁遮蔽幕８によって規定されるピラー１５，２２とピラー４０，４１の間の離間距離よりも短い可撓性の索具５２ａ，５２ｂで止着され、アーチ３７の一部を構成するピラー４０，４１と此れに隣接するアーチ３８の一部を構成するピラー４３，４４との間は、伸長状態にある可撓性の電磁遮蔽幕８によって規定されるピラー４０，４１とピラー４３，４４の間の離間距離よりも短い可撓性の索具５３ａ，５３ｂによって止着されている。
これと同様、図５に示されるように、ケージ状に構成された本体部９側の開口部に位置するビーム３０と最も内側に位置するアーチ３７の一部を構成するビーム４２との間は、伸長状態にある可撓性の電磁遮蔽幕８によって規定されるビーム３０とビーム４２の間の離間距離よりも短い可撓性の索具５４によって止着され、アーチ３７の一部を構成するビーム４２と此れに隣接するアーチ３８の一部を構成するビーム４５との間は、伸長状態にある可撓性の電磁遮蔽幕８によって規定されるビーム４２とビーム４５の間の離間距離よりも短い可撓性の索具５５で止着され、アーチ３８の一部を構成するビーム４５と此れに隣接するアーチ３９の一部を構成するビーム４８との間は、伸長状態にある可撓性の電磁遮蔽幕８によって規定されるビーム４５とビーム４８の間の離間距離よりも短い可撓性の索具５６によって止着されている。
可撓性の索具５２ａ，５２ｂ，５３ａ，５３ｂ，５４，５５，５６としてはロープやワイヤ等を利用することができる。
【００４１】
電磁遮蔽幕８は、本体部９を形成するピラー１５〜２２，３２，３３およびビーム１１〜１４，２３〜２６，３０，３１と、可動部１０を形成するアーチ３７〜３９に沿うかたちでフレーム７の全体に止着されて、本体部９と可動部１０から成るフレーム７の輪郭によって画成される内側の領域を被覆している。
電磁遮蔽幕８のうち少なくとも寝台６を覆う可動部１０に被覆される部分は可撓性を有している必要がある。電磁遮蔽幕８のうち磁石架台３を覆う本体部９に被覆される部分は可撓性でなくとも構わない。
また、可動部１０に被覆される可撓性の電磁遮蔽幕８は、アーチ３７〜３９と共に移動して繰り返し屈曲されることで知らない間に部分的な破断が生じる場合があるので、２重以上に重ねてアーチ３７〜３９に止着するようにしている。可動部１０に被覆する可撓性の電磁遮蔽幕８の張り替え作業は容易であるが、この部分の電磁遮蔽幕８に破断が生じたことに気付かずにいると不用意な電磁波の侵入を招く恐れがあるためである。
可撓性を有して光や空気の透過を許容する電磁遮蔽幕８の素材としては、既に述べた通り、特開平８−３３５７９６号公報や特開平７−１７６８８５号公報に開示される電磁波シールド用メッシュが既に公知である。
【００４２】
図６は電磁波シールドチェンバー１の背面図であり、ケージ状の本体部９の背面のうち、ビーム１３，２５およびピラー１９，２０で画成される壁面の一部には、ＥＭＩ装置２の駆動や制御に関わる各種の高周波デバイスフィルターを内蔵したフィルタボックス５７やシステムフィルターを内蔵したフィルタボックス５８を設置したパネル５９が取り付けられている。これらの構成要素に関しては既に公知である。
【００４３】
図７はＥＭＩ装置２を配置した室内の床面に半埋め込み状態で設置される導電性の床側ベースプレート６１の構成の概略について示した平面図である。
床側ベースプレート６１は、複数に分割して切り出された短冊状のステンレス板６２〜７０を組み合わせて一体に構成したものであり、その全体的な形状は、図２においてビーム１１〜１４およびアーチ３９が描く輪郭形状と略一致する。但し、その幅は、ビーム１１〜１４やアーチ３９における第１の平面部３９ａの幅に比べて広い。ステンレス板に代えてアルミニウム合金等を用いることも可能である。
床側ベースプレート６１は、図８（ｂ）に示されるように、合板７１と合板７２の間に電磁波遮蔽材７３を差し挟んで構成された床面のうち上側の合板６３の一部を切除して埋め込むかたちで設置され、床側ベースプレート６１を上下に貫通して床側ベースプレート６１の適宜箇所に穿設された複数の孔（図７参照）に通された図示しないアンカーによって床面に固定される。床側ベースプレート６１の下面は電磁波遮蔽材７３と直に接触するので床側ベースプレート６１それ自体も接地された状態となる。
そして、フレーム７における本体部９の下端部を構成するビーム１１〜１４は、ビーム１１〜１４の外周部を上下に貫通してビーム１１〜１４の適宜箇所に穿設された図示しない複数の孔に通されたボルト（図示せず）により、床側ベースプレート６１上に固定して取り付けられる。従って、ビーム１１〜１４は全て接地された状態となる。
床側ベースプレート６１の構成要素のうち、可動部１０の最も外側に位置するアーチ３９の端面３９ｃに当接するステンレス板６６，６７，６９，７０の表面には、図７に示されるように、アーチ３９側に配備された電磁石５１〜５６の各位置に対応して円形状のポケット加工が施され、各ポケット加工部に、円盤型の鉄材等から成る磁性体７４，７５，７６，７７，７８，７９が面一の状態で埋設され、磁性体７４，７５，７６，７７，７８，７９は、床側ベースプレート６１の裏面側から通された図示しないボルトによって床側ベースプレート６１に一体的に固着される。
電磁遮蔽幕８は複数に分割されたものを接合して利用しても構わないが、本体部９に被覆された部分の電磁遮蔽幕８の下端部はビーム１１〜１４を経由して床側ベースプレート６１（ステンレス板６２〜７０）に導通し、また、可動部１０に被覆された部分の可撓性の電磁遮蔽幕８の下端部はアーチ３９を経由してアーチ３９の端面３９ｃに固着された電磁波遮蔽部材４９，５０に導通している必要がある。
【００４４】
図１〜図３および図５では並び方向の最も外側に位置するアーチ３９を床面と平行となる揺動限界まで揺動させて導電性の床側ベースプレート６１と接地させることによって電磁遮蔽幕８を閉鎖した状態を示している。
通常、この状態では、図２に示されるような被験者受け入れ位置にある寝台６のテーブル４と完全に重合した被験者載置パッド５の上に被験者が載置され、ＭＲＩ装置２による測定を待機している。
そして、この状態で電磁石５１〜５６を励磁すると電磁石５１〜５６の磁性鉄心が床側ベースプレート６１に併設された磁性体７４〜７９を吸着する。
この結果、アーチ３９の端面３９ｃの幅方向の両側に固着された長尺の電磁波遮蔽部材４９，５０が床側ベースプレート６１の上面に強く圧着されて、開閉部を構成するアーチ３９の端面３９ｃと床側ベースプレート６１との間の隙間が解消され、ＭＲＩ装置２を包囲した電磁遮蔽幕８による電磁的な遮蔽状態が実現される。
また、アーチ３９の端面３９ｃからの磁性鉄心の突出高さは電磁波遮蔽部材４９，５０の厚みに比べて低く設計されているので、磁性鉄心の先端が磁性体７４〜７９に当接した状況下では電磁波遮蔽部材４９，５０それ自体が僅かに弾性変形することになり、床側ベースプレート６１の表面に多少の傷や変形があったり塵が付着していたりした場合であっても、電磁波遮蔽部材４９，５０の弾性変形によって、傷や変形あるいは塵に起因する隙間の発生を吸収して、適切な電磁遮蔽の状態を維持することができる。
【００４５】
電磁石５１〜５６の励磁状態はＭＲＩ装置２による測定が完了するまで保持し、この間に、テーブル４と被験者載置パッド５から成る寝台６に図２中で左右方向の送りを掛け、磁石架台３に設けられたトンネル状の検査空間に被験者を移動させてＭＲＩ測定を実施する。
そして、ＭＲＩ測定の完了後、テーブル４と被験者載置パッド５から成る寝台６には再び送りが掛けられ、寝台６は磁石架台３の検査空間から退避して、図２に示されるような被験者受け入れ位置に復帰することになる。
【００４６】
ＭＲＩ測定の完了後に被験者を他の場所に移動させる場合、あるいは、今回のＭＲＩ測定の結果を参照して其の場で被験者に外科的な施術を実施する場合には、まず、寝台６を覆うアーチ３７〜３９を揺動させて、寝台６を覆う部分の可撓性の電磁遮蔽幕８を取り払う必要がある。
【００４７】
そこで、看護士等のオペレータは、まず、電磁石５１〜５６の励磁状態を解除し、最も外側に位置するアーチ３９の把手６０を把持して、床側ベースプレート６１と接地して水平状態を維持しているアーチ９を上方に持ち上げるようにして水平面と成す角が増大する方向に揺動させていく。これにより、アーチ３９に沿って止着された可撓性の電磁遮蔽幕８の部分もアーチ３９と共に徐々に捲り上げられていく。
そして、アーチ３９が或る程度揺動すると、此れに隣接する外側から２番目のアーチ３８が最も外側に位置するアーチ３９に当接し、外側から２番目に位置するアーチ３８が、此のアーチ３８に沿って止着された可撓性の電磁遮蔽幕８の部分を伴って、最も外側に位置するアーチ３９と共に水平面と成す角を増大させる方向に揺動を開始する。
次いで、アーチ３９，３８が更に揺動し、アーチ３８が此れに隣接する最も内側のアーチ３７に当接すると、最も内側のアーチ３７が、此のアーチ３７に沿って止着された可撓性の電磁遮蔽幕８の部分を伴って、アーチ３９，３８と共に水平面と成す角を増大させる方向に揺動を開始する。
このようにして、把手６０に対するオペレータの操作により隣接するアーチ３９，３８，３７が次々に連鎖的に揺動され、最終的に、最も内側に位置するアーチ３７のビーム４２がケージ状に構成された本体部９側のビーム３０に当接すると、アーチ３７，３８，３９の揺動が停止し、被験者受け入れ位置にある寝台６を覆う部分の可撓性の電磁遮蔽幕８が全て捲り上げられることになる。
【００４８】
この際、可撓性の電磁遮蔽幕８の捲り上げに際して最初の時点で必要とされる力は、最も外側に位置するアーチ３９と此のアーチ３９に沿って止着された可撓性の電磁遮蔽幕８の部分を上方に持ち上げる力であるが、アーチ３９の一部を構成する左右のピラー４６，４７の下端部は本体部９側のビーム１１，１４に設けられた枢着点１１ｐ’，１４ｐ’によって揺動自在に軸支された状態にあり、アーチ３９は其の下端部とオペレータが把持する把手６０の２箇所で重力に抗して支えられることになるので、アーチ３９を持ち上げるようにして把持するオペレータに必要とされる操作力は、１つのアーチ３９と此のアーチ３９に沿って止着された可撓性の電磁遮蔽幕８の部分を垂直に持ち上げる場合の操作力に比べて実質的に半減される。
そして、アーチ３９の揺動操作が進んで水平面と成す角が増大した段階では、把手６０を操作するオペレータは、２本のアーチ３９，３８あるいは３本のアーチ３９，３８，３７と其れらに沿って止着された可撓性の電磁遮蔽幕８の部分を纏めて揺動させる必要があるが、この段階では、既に２本のアーチ３９，３８あるいは３本のアーチ３９，３８，３７が水平面と大きな角度を成して立ち上がった状態となっており、その荷重の大半が本体部９側の枢着点１１ｐ’，１４ｐ’と枢着点１１ｐ，１４ｐ、あるいは、枢着点１１ｐ’，１４ｐ’と枢着点１１ｐ，１４ｐと枢着点１５ｐ，２２ｐによって支えられることになるので、オペレータは、アーチ３９，３８，３７の揺動方向に沿って把手６０に僅かな力を作用させるだけで、容易にアーチ３９，３８，３７を揺動させて可撓性の電磁遮蔽幕８を開放することができる。
【００４９】
この実施形態では、ケージ状に構成された本体部９の壁面のうち、アーチ３７，３８，３９によって構成される可動部１０と連絡する部分の壁面が、直立状態を超えて、其の下端側から上端側にかけて各アーチ３７，３８，３９から徐々に離間する方向に傾斜しており、しかも、この壁面にアーチ３７と接続すべく形成された開口部、すなわち、本体部９の左右のピラー１５，２２と其の上端部を接続するビーム３０によって画成される開口部の大きさを、アーチ３７，３８，３９が突入しない大きさとして、直立状態を超えて揺動したアーチ３７，３８，３９を本体部９側のビーム３０によって支える構造としているので、寝台６を覆う部分の可撓性の電磁遮蔽幕８を完全に開放した状態でオペレータが把手６０から手を離しても、アーチ３７，３８，３９は重力の作用によって完全開放位置に留め置かれる。
従って、寝台６を覆う部分の可撓性の電磁遮蔽幕８を完全に開放した位置にアーチ３７，３８，３９を保持するための機械的な固定手段は不要であり、電磁波シールドチェンバー１の構造を簡略化することができる。
【００５０】
一方、寝台６を覆う部分の可撓性の電磁遮蔽幕８を閉鎖する場合の操作は上記とは逆となり、その初期段階では、オペレータは、複数のアーチ３７，３８，３９と其れらに沿って止着された可撓性の電磁遮蔽幕８の部分を纏めた状態で、水平面と成す角が減少する方向にアーチ３７，３８，３９を揺動させる必要がある。
この際、不注意によるアーチ３７，３８，３９の倒れを防止するため、オペレータはアーチ３９に固設された把手６０を重力に抗して確実に支える必要があるが、この段階では、アーチ３７，３８，３９が水平面と大きな角度を成して立ち上がった状態となっており、アーチ３７，３８，３９の荷重の大半が本体部９側の枢着点１１ｐ’，１４ｐ’と枢着点１１ｐ，１４ｐと枢着点１５ｐ，２２ｐによって支えられているので、オペレータは、僅かな力でアーチ３７，３８，３９を支えながら此れらのアーチ３７，３８，３９を閉鎖方向に揺動させることができる。
そして、アーチ３７，３８，３９が或る程度揺動していくと、まず、最も内側に位置するアーチ３７が、本体部９側の左右のピラー１５，２２およびビーム３０とアーチ３７との間に位置する可撓性の電磁遮蔽幕８の折り畳み部分を引き伸ばし、此の引き伸ばされた可撓性の電磁遮蔽幕８の部分によって、最も内側に位置するアーチ３７の揺動動作が拘束される。しかし、この実施形態では、本体部９側の開口部に位置するピラー１５，２２とアーチ３７のピラー４０，４１とを接続する可撓性の索具５２ａ，５２ｂや本体部９側の開口部に位置するビーム３０とアーチ３７のビーム４２とを接続する索具５４によってアーチ３７の荷重の大半が支えられるので、本体部９側の左右のピラー１５，２２およびビーム３０とアーチ３７との間に位置する可撓性の電磁遮蔽幕８の折り畳み部分に過剰なテンションが作用することはない。従って、可撓性の電磁遮蔽幕８の実質的な耐久性を向上させることができる。
次いで、オペレータは、可撓性の索具５２ａ，５２ｂ，５４で支えられたアーチ３７を其の場に残し、他のアーチ３８，３９を把手６０で支えながら、アーチ３８，３９と其れらに沿って止着された可撓性の電磁遮蔽幕８の部分を、水平面と成す角が減少する方向に揺動させていくことになる。
そして、アーチ３８，３９が或る程度揺動していくと、中間部に位置するアーチ３８が、アーチ３７とアーチ３８との間に位置する可撓性の電磁遮蔽幕８の折り畳み部分を引き伸ばし、此の引き伸ばされた可撓性の電磁遮蔽幕８の部分によって、中間部に位置するアーチ３８の揺動動作が拘束される。しかし、アーチ３７とアーチ３８とを接続する可撓性の索具５３ａ，５３ｂ，５５によってアーチ３８の荷重の大半が支えられるので、アーチ３７とアーチ３８との間に位置する可撓性の電磁遮蔽幕８の折り畳み部分に過剰なテンションが作用することはない。
次いで、オペレータは、可撓性の索具５３ａ，５３ｂ，５５で支えられたアーチ３８を其の場に残し、最も外側に位置するアーチ３９を把手６０で支えながら、アーチ３９とアーチ３９に沿って止着された可撓性の電磁遮蔽幕８の部分を、水平面と成す角が減少する方向に揺動させていくことになる。
そして、アーチ３９の揺動によってアーチ３８とアーチ３９との間に位置する可撓性の電磁遮蔽幕８の折り畳み部分が引き伸ばされ、最終的に、アーチ３９の端面３９ｃが床側ベースプレート６１に当接してアーチ３９が水平となった時点で最も外側に位置するアーチ３９の揺動動作が拘束され、電磁遮蔽幕８の閉鎖が完了することになる。
【００５１】
この際、アーチ３７，３８，３９と水平面とが成す角が減少するにつれて各アーチ３７，３８，３９を支えるのに必要とされる力は増大するが、その一方で、オペレータが支えなければならないアーチの個数は順に減少していくので、オペレータは、僅かな操作力によって各アーチを支えつつ容易に閉鎖方向にアーチを揺動させることができる。
【００５２】
以上に述べたように、オペレータは、把手６０に対する単純な手動操作によって寝台６を覆う部分の可撓性の電磁遮蔽幕８を苦もなく開閉することができるようになるので、電磁波シールドチェンバー１の複雑化や設置コストの増大を招くことなく、被験者の出入りを許容するための電磁遮蔽幕８の開閉操作を行うことができ、ＭＲＩ装置２を用いた測定の際の被験者の待ち時間を容易に短縮することが可能となる。
【００５３】
特に、この実施形態にあっては、寝台６におけるテーブル４の端部４ａを支点としてテーブル４から水平方向に振り出し可能とされた被験者載置パッド５を備えたＭＲＩ装置２に組み合わせて電磁波シールドチェンバー１を利用するようにしているので、被験者受け入れ位置に移動させた寝台６から被験者載置パッド５を水平方向に振り出した位置を外科的な施術を実施する場所として利用し、此の位置に施術に必要とされるテーブルや器具等を配置することができる。
従って、可撓性の電磁遮蔽幕８を開放して被験者受け入れ位置に移動させた寝台６から水平方向に振り出した被験者載置パッド５に被験者を載置した状態で被験者に外科的な施術を施した後、直ちにテーブル４上の定位置つまり被験者載置パッド５がテーブル４に完全に重合する位置に被験者載置パッド５を振り戻し、寝台６を覆う部分のアーチ３７．３８，３９を閉鎖方向に揺動させてＭＲＩ装置２全体を電磁遮蔽幕８で覆って寝台６を移動させ、ＭＲＩ装置２による測定を実施し、再び寝台６を被験者受け入れ位置に移動させてアーチ３７，３８，３９を開放方向に揺動させることで可撓性の電磁遮蔽幕８を開放し、改めて被験者載置パッド５を水平方向に振り出して被験者に再度の外科的な施術を実施するといった作業を繰り返し実施することができるようになる。
よって、患者でもある被験者に次のＭＲＩ測定や次の施術を待たせるといった不都合を生じることなく円滑に外科的な施術とＭＲＩ測定を繰り返すことが可能となる。
【００５４】
この実施形態では、アーチ３７〜３９によって構成される可動部１０とケージ状の本体部９とを組み合わせてフレーム７としているが、電磁遮蔽幕８を支える揺動式のアーチの個数を増やし、多数のアーチを備えた可動部で磁石架台２と寝台６から成るＭＲＩ装置２を全体的に覆うようにすれば、アーチから成る可動部のみによってフレームを構成することも可能である。
但し、その場合は、可撓性の電磁遮蔽幕の開閉操作の度に最も外側に位置するアーチを１８０度揺動させる必要が生じるので、可撓性の電磁遮蔽幕の開閉操作に要する所要時間と開閉操作を行うオペレータの負担が前述の実施形態に比べて増大し、フレームの構造も或る程度複雑化することになる。
【００５５】
以上に開示した実施形態の一部または全部は、以下の付記に示す記載によって適切に表現され得るが、発明を実施するための形態や発明の技術思想は、これらのものに制限されるものではない。
【００５６】
〔付記１〕
静磁場コイル，傾斜磁場コイル，高周波コイルを有する磁石架台（３）、および、前記磁石架台（３）に設けられたトンネル状の検査空間と被験者受け入れ位置との間で被験者を移動させるための寝台（６）を備えたＭＲＩ装置（２）を包囲して室内に設置される電磁波シールドチェンバー（１）であって、
前記ＭＲＩ装置（２）との間に間隔を置いて設置されたピラー（１５〜２２，３２〜３３，４０〜４１，４３〜４４，４６〜４７）およびビーム（１１〜１４，２３〜２６，２７〜３１，４２，４５，４８）によって構成されるフレーム（７）と、前記ピラー（１５〜２２，３２〜３３，４０〜４１，４３〜４４，４６〜４７）およびビーム（１１〜１４，２３〜２６，２７〜３１，４２，４５，４８）に沿って止着されて前記フレーム（７）の輪郭により画成された内側の領域を被覆する電磁遮蔽幕（８）とを備え、
前記フレーム（７）は、少なくとも、前記寝台（６）を前記検査空間から退避させて前記被験者受け入れ位置に移動させた際に前記寝台（６）を覆う部分（１０）が、
前記寝台（６）の移動方向に沿って並ぶ左右一対のピラー（４０〜４１，４３〜４４，４６〜４７）と其の上端部を接続するビーム（４２，４５，４８）から成り其の並び方向の外側にいくに従って水平面と成す傾斜角を徐々に減少させる複数のアーチ（３７，３８，３９）によって構成され、最も外側に位置するアーチ（３９）は室内の床面と略同一平面上に敷設された導電性の床側ベースプレート（６１）と接地するようにして水平に配置されると共に、
前記各アーチ（３７，３８，３９）を構成する左右のピラー（４０〜４１，４３〜４４，４６〜４７）の下端部が、同一軸線上に、若しくは、其の並び方向に沿った前記アーチ（３７，３８，３９）の厚みを超える一定の間隔を置いて、それぞれが揺動自在に軸支され、
少なくとも、前記複数のアーチ（３７，３８，３９）の輪郭により画成された内側の領域を被覆する電磁遮蔽幕（８）の部分が、可撓性であることを特徴とした電磁波シールドチェンバー（１）。
【００５７】
〔付記２〕
静磁場コイル，傾斜磁場コイル，高周波コイルを有する磁石架台（３）、および、前記磁石架台（３）に設けられたトンネル状の検査空間と被験者受け入れ位置との間で被験者を移動させるためのテーブル（４）と前記テーブル（４）上に設置され前記テーブル（４）を前記検査空間から退避させて前記被験者受け入れ位置に移動させた際に前記磁石架台（３）から相対的に離間した側の端部（４ａ）を支点として前記テーブル（４）から水平方向に振り出し可能とされた被験者載置パッド（５）によって構成される寝台（６）を備えたＭＲＩ装置（２）を包囲して室内に設置される電磁波シールドチェンバー（１）であって、
前記ＭＲＩ装置（２）との間に間隔を置いて設置されたピラー（１５〜２２，３２〜３３，４０〜４１，４３〜４４，４６〜４７）およびビーム（１１〜１４，２３〜２６，２７〜３１，４２，４５，４８）によって構成されるフレーム（７）と、前記ピラー（１５〜２２，３２〜３３，４０〜４１，４３〜４４，４６〜４７）およびビーム（１１〜１４，２３〜２６，２７〜３１，４２，４５，４８）に沿って止着されて前記フレーム（７）の輪郭により画成された内側の領域を被覆する電磁遮蔽幕（８）とを備え、
前記フレーム（７）は、少なくとも、前記寝台（６）を前記検査空間から退避させて前記被験者受け入れ位置に移動させた際に前記寝台（６）を覆う部分（１０）が、
前記寝台（６）の移動方向に沿って並ぶ左右一対のピラー（４０〜４１，４３〜４４，４６〜４７）と其の上端部を接続するビーム（４２，４５，４８）から成り其の並び方向の外側にいくに従って水平面と成す傾斜角を徐々に減少させる複数のアーチ（３７，３８，３９）によって構成され、最も外側に位置するアーチ（３９）は室内の床面と略同一平面上に敷設された導電性の床側ベースプレート（６１）と接地するようにして水平に配置されると共に、
前記各アーチ（３７，３８，３９）を構成する左右のピラー（４０〜４１，４３〜４４，４６〜４７）の下端部が、同一軸線上に、若しくは、前記並び方向に沿った前記アーチ（３７，３８，３９）の厚みを超える一定の間隔を置いて、それぞれが揺動自在に軸支され、
少なくとも、前記複数のアーチ（３７，３８，３９）の輪郭で画成された内側の領域を被覆する電磁遮蔽幕（８）の部分が、可撓性であることを特徴とした電磁波シールドチェンバー（１）。
【００５８】
〔付記３〕
前記フレーム（７）は、前記磁石架台（３）を覆う部分が、相互に固定的に接続されたピラー（１５〜２２）およびビーム（１１〜１４，２３〜２６，２７〜３１）によってケージ状に構成されていることを特徴とした付記１または付記２記載の電磁波シールドチェンバー（１）。
【００５９】
〔付記４〕
前記ケージ状に構成された部分（９）の壁面のうち、前記複数のアーチ（３７，３８，３９）によって構成される部分（１０）と連絡する部分の壁面が、直立状態を超えて、其の下端側から上端側にかけて前記各アーチ（３７，３８，３９）から徐々に離間する方向に傾斜して形成され、前記連絡する部分の壁面に最も内側に位置するアーチ（３７）と接続すべく形成された開口部の大きさは、前記各アーチ（３７，３８，３９）が突入しない大きさとされていることを特徴とした付記３記載の電磁波シールドチェンバー（１）。
【００６０】
〔付記５〕
前記フレームは、前記磁石架台（３）を覆う部分および前記寝台（６）を被験者受け入れ位置に移動させた際に前記寝台（６）を覆う部分の全てが、左右一対のピラーと其の上端部を接続するビームからなる複数のアーチによって構成され、前記電磁遮蔽幕（８）の全ての部分が可撓性であることを特徴とした付記１または付記２記載の電磁波シールドチェンバー（段落００５５参照）。
【００６１】
〔付記６〕
前記複数のアーチ（３７，３８，３９）のうち、其の並び方向の最も外側に位置するアーチ（３９）において床側ベースプレート（６１）と接地する側の端面（３９ｃ）には、左右一対のピラー（４６〜４７）と其の上端部を接続するビーム（４８）の全長に亘って、導電性と弾性を兼ね備えた部材で構成された電磁波遮蔽部材（４９，５０）が前記電磁遮蔽幕（８）と電気的に接続して一体的に固設される一方、前記電磁波遮蔽部材（４９，５０）を固設した面と反対側の面には、室内の床面と略同一平面上に敷設されて前記電磁波遮蔽部材（４９，５０）に当接する導電性の床側ベースプレート（６１）の表面に併設された磁性体（７４〜７９）を吸着する電磁石（５１〜５６）が前記端面（３９ｃ）を貫通し、かつ、前記電磁波遮蔽部材（４９，５０）の厚みよりも少ない高さで前記端面（３９ｃ）を突出して前記磁性体（７４〜７９）の配設位置に対応して設置されていることを特徴とした付記３または付記４記載の電磁波シールドチェンバー（１）。
【００６２】
〔付記７〕
ケージ状に構成された部分（９）の開口部に位置するピラー（１５，２２）と最も内側に位置するアーチ（３７）を構成するピラー（４０，４１）が完全伸長状態にある前記可撓性の電磁遮蔽幕（８）によって規定されるピラー（１５，２２）とピラー（４０，４１）間の離間距離よりも短い距離で可撓性の索具（５２ａ，５２ｂ）によって相互に止着されるか、または、ケージ状に構成された部分（９）の開口部に位置するビーム（３０）と最も内側に位置するアーチ（３７）を構成するビーム（４２）が完全伸長状態にある前記可撓性の電磁遮蔽幕（８）によって規定されるビーム（３０）とビーム（４２）間の離間距離よりも短い距離で可撓性の索具（５４）によって相互に止着されると共に、
前記複数のアーチ（３７，３８，３９）のうち相互に隣接するアーチ（３７，３８）を構成するピラー（４０，４１）とピラー（４３，４４）との間が完全伸長状態にある前記可撓性の電磁遮蔽幕（８）によって規定されるピラー（４０，４１）とピラー（４３，４４）の離間距離よりも短い距離で可撓性の索具（５３ａ，５３ｂ）によって相互に止着されるか、または、相互に隣接するアーチ（３７，３８）を構成するビーム（４２）とビーム（４５）との間が完全伸長状態にある前記可撓性の電磁遮蔽幕（８）によって規定されるビーム（４２）とビーム（４５）の離間距離よりも短い距離で可撓性の索具（５５）によって相互に止着され、かつ、相互に隣接するアーチ（３８，３９）を構成するビーム（４５）とビーム（４８）との間が完全伸長状態にある前記可撓性の電磁遮蔽幕（８）によって規定されるビーム（４５）とビーム（４８）の離間距離よりも短い距離で可撓性の索具（５６）によって相互に止着されていることを特徴とした付記３または付記４記載の電磁波シールドチェンバー（１）。
【産業上の利用可能性】
【００６３】
本発明の電磁波シールドチェンバーは、ＭＲＩ装置その他の機器を電磁遮蔽する際に利用することができる。
【符号の説明】
【００６４】
１  電磁波シールドチェンバー
２  ＭＲＩ装置
３  磁石架台
４  テーブル
４ａ  磁石架台から相対的に離間した側のテーブルの端部
５  被験者載置パッド
６  寝台
７  フレーム
８  電磁遮蔽幕
９  本体部
１０  可動部
１１〜１４  ビーム
１１ｐ，１４ｐ  枢着点
１１ｐ’，１４ｐ’  枢着点
１５〜２２  ピラー
１５ｐ，２２ｐ  枢着点
２３〜２６  ビーム
２７〜３１  ビーム
３２，３３  ピラー
３４  アングル材
３５〜３６  ボルト＆ナット
３７〜３９  アーチ
３９ａ  アーチ３９の第１の平面部
３９ｂ  アーチ３９の第２の平面部
３９ｃ  アーチ３９の第１の平面部の裏面（アーチ３９の端面）
４０〜４１  ピラー
４２  ビーム
４３〜４４  ピラー
４５  ビーム
４６〜４７  ピラー
４８  ビーム
４９，５０  電磁波遮蔽部材
５１〜５６  電磁石
５２ａ，５２ｂ  索具
５３ａ，５３ｂ  索具
５４〜５６  索具
５７  フィルタボックス
５８  フィルタボックス
５９  パネル
６０  把手
６１  床側ベースプレート
６２〜７０  ステンレス板
７１，７２  合板
７３  電磁波遮蔽材
７４〜７９  磁性体
【図１】
2017056003.tif 000003
【図２】
2017056003.tif 000004
【図３】
2017056003.tif 000005
【図４】
2017056003.tif 000006
【図５】
2017056003.tif 000007
【図６】
2017056003.tif 000008
【図７】
2017056003.tif 000009
【図８】
2017056003.tif 000010